(57)【要約】【課題】イヤホンジャックインターフェースを通じて多様な装置連結と動作状態を区分することができるようにするイヤホンシステムとこれをサポートする携帯端末及びこれを基盤とするイヤホン動作方法を提供する。【解決手段】本発明は、イヤホンシステムに関し、本発明は、４極のイヤホンヘッダーが携帯端末のイヤホンジャックインターフェースに接続される過程と、前記４極イヤホンに設けられたイヤホン入力装置でユーザ機能制御のための少なくとも１つの入力信号が生成される過程と、前記少なくとも１つの入力信号が前記イヤホンのマイク端子と前記イヤホンジャックインターフェースを通じて前記携帯端末に伝達する過程と、前記伝達した入力信号によって前記携帯端末のユーザ機能を制御する過程とを含むことを特徴とする。【選択図】図１
2011239395.tif 000002
【特許請求の範囲】
【請求項１】
４極のイヤホンヘッダーと携帯端末のユーザ機能制御のための少なくとも１つの入力信号を生成し、前記イヤホンヘッダーのマイク端子を通じて前記携帯端末に伝送可能なイヤホン入力装置を含むイヤホンと；
前記イヤホンヘッダーが接続されるイヤホンジャックインターフェースを含み、前記マイク端子と接触するマイク電極ピンを通じて前記少なくとも１つの入力信号を受信及び区分した後、区分された入力信号種類によってユーザ機能を制御する前記携帯端末と；を含むことを特徴とするイヤホンシステム。
【請求項２】
前記イヤホン入力装置は、
前記携帯端末から前記イヤホンに伝送されるボリュームのアップまたはダウンを調節することができるボリュームアップ／ダウンキー；
前記携帯端末の通話連結または通話解除を調節することができる通話連結／解除キー；及び
オーディオ収集のためのイヤホンマイク；のうち少なくとも１つを含むことを特徴とする請求項１に記載のイヤホンシステム。
【請求項３】
前記イヤホンジャックインターフェースは、
前記イヤホンマイク端子と接触するマイク電極ピンと；
前記イヤホンヘッダーの接地端子と接触する接地電極ピンと；
前記イヤホンヘッダーのイヤホン右側スピーカー端子及びイヤホン左側スピーカー端子と接触するスピーカー電極ピンと；を含むことを特徴とする請求項１に記載のイヤホンシステム。
【請求項４】
前記イヤホンジャックインターフェースは、
イヤホンヘッダー挿入時に、これを検出するための基準電圧がロードされた電極ピン；をさらに含むことを特徴とする請求項３に記載のイヤホンシステム。
【請求項５】
４極イヤホンヘッダーが接続されるイヤホンジャックインターフェースと；
前記４極イヤホンヘッダーのうちマイク端子と接触するマイク電極ピンを含み、前記マイク電極ピンを通じて前記４極イヤホンで発生した少なくとも１つの入力信号を受信及び区分した後、区分された入力信号種類によってユーザ機能を制御する制御部と；を含むことを特徴とする携帯端末。
【請求項６】
前記イヤホンジャックインターフェースは、
前記マイク電極ピンと連結されるアナログデジタルコンバータと；
前記アナログデジタルコンバータが一定の電圧以下に電圧降下されることを検出するための比較器と；を含むことを特徴とする請求項５に記載の携帯端末。
【請求項７】
前記制御部は、
前記比較器で出力される電圧値によって前記イヤホン入力装置で生成された入力信号の種類を区分することを特徴とする請求項６に記載の携帯端末。
【請求項８】
前記イヤホン入力装置で生成された入力信号によって生成される命令語を含む命令語テーブルを保存する保存部；をさらに含むことを特徴とする請求項５に記載の携帯端末。
【請求項９】
前記制御部は、
前記４極イヤホンから入力される入力信号を、
前記携帯端末から前記イヤホンに伝送されるボリュームのアップまたはダウンを調節することができるボリュームアップ／ダウンキーと、前記携帯端末の通話連結または通話解除を調節することができる通話連結／解除キーのうちいずれか１つに区分し、区分された信号によってボリュームアップ／ダウン、通話連結／解除のうちいずれか１つの機能を行うように制御することを特徴とする請求項５に記載の携帯端末。
【請求項１０】
４極のイヤホンヘッダーが携帯端末のイヤホンジャックインターフェースに接続される過程と；
前記４極イヤホンに設けられたイヤホン入力装置でユーザ機能制御のための少なくとも１つの入力信号が生成される過程と；
前記少なくとも１つの入力信号が前記イヤホンのマイク端子と前記イヤホンジャックインターフェースを通じて前記携帯端末に伝達される過程と；
前記伝達された入力信号によって前記携帯端末のユーザ機能を制御する過程と；を含むことを特徴とするイヤホン動作方法。
【請求項１１】
前記マイク端子と接触し、前記イヤホンジャックインターフェースに設けられたマイク電極ピンの出力と既定の比較電圧を比較する過程と；
前記マイク電極ピンの出力が比較電圧より小さい場合、前記イヤホンで入力信号が生成されたものと判断する過程と；を含むことを特徴とする請求項１０に記載のイヤホン動作方法。
【請求項１２】
前記携帯端末が前記マイク電極ピンの出力に対応するユーザ機能制御のための入力信号を生成する過程と；
前記生成された入力信号によるユーザ機能制御を行う過程と；をさらに含むことを特徴とする請求項１１に記載のイヤホン動作方法。
【請求項１３】
前記信号を生成する過程は、
前記マイク電極ピンの出力に対応するボリュームアップ信号を生成する過程と；
前記マイク電極ピンの出力に対応するボリュームダウン信号を生成する過程と；
前記マイク電極ピンの出力に対応する通話連結信号を生成する過程と；
前記マイク電極ピンの出力に対応する通話連結解除信号を生成する過程；のうちいずれか１つの過程を含むことを特徴とする請求項１２に記載のイヤホン動作方法。
【請求項１４】
前記使用機能制御を行う過程は、
前記ボリュームアップ信号によって前記携帯端末で前記４極イヤホンに伝送するボリュームを増加させる過程と；
前記ボリュームダウン信号によって前記携帯端末で前記４極イヤホンに伝送するボリュームを減少させる過程と；
前記通話連結信号によって前記携帯端末の通話連結を行う過程と；
前記通話連結解除信号によって前記携帯端末の通話連結を解除する過程；のうちいずれか１つの過程を含むことを特徴とする請求項１３に記載のイヤホン動作方法。
【発明の詳細な説明】
【技術分野】
【０００１】
本発明は、イヤホンジャックインターフェースに関し、特にイヤホンジャックインターフェースに挿入される多様な機器から入力される多様な入力信号を区分し、区分された入力信号を活用することができるようにサポートするイヤホンシステムとこれをサポートする携帯端末及びこれを基盤とするイヤホン動作方法に関する。
【背景技術】
【０００２】
最近、移動が可能であり、多様な機能を提供する携帯端末が広く普及している。このような携帯端末の代表的な例として、移動通信端末及び個人用の携帯情報端末（ＰＤＡ：Personal Digital Assistant）などが挙げられる。前記移動通信端末は、移動通信機能をサポートするモジュールを搭載し、基地局を利用して他の移動通信端末と音声及びデータを送受信することができるようにサポートする。また、前記ＰＤＡは、中央処理装置（ＣＰＵ）、メモリ、オペレーティングシステム（ＯＳ：Operating System）、前記オペレーティングシステムを基盤とする多様なプログラムと特定機器を備えており、前記構成を基盤として情報収集、保存、作成、検索機能を行うことができる。
【０００３】
このような携帯端末の機能のうち、ファイル再生機能、特にオーディオファイル再生機能や通話機能は、外部から受信されたオーディオ信号や携帯端末に保存されている多様なオーディオファイルを再生し、携帯端末に設けられたスピーカーを通じて出力したり、送受信される音声信号を出力する機能である。前記オーディオ出力機能の利用中に携帯端末のユーザは、携帯端末から出力されるオーディオ信号を外部に流出しないように、またはさらに明瞭に聞くためにイヤホンを使用する場合が多い。
【０００４】
前述したような携帯端末は、イヤホン連結のためにイヤホンジャックインターフェースを設け、移動通信機能による音声通話サポートのために、４極イヤホンインターフェースをサポートしている。このような従来の携帯端末は、４極イヤホンジャックインターフェースを設け、左右側オーディオ信号出力とイヤホンマイクからのオーディオ信号収集をサポートしている。ところが、従来、４極イヤホンジャックインターフェースは、イヤホン挿入可否状態だけを認識し、オーディオ入出力のみを行うことができるように構成されていて、その活用度が非常に低い。また、従来、４極イヤホンジャックインターフェースは、イヤホンジャックインターフェースに外部機器が挿入されるとしても、当該外部機器を認識するために、イヤホンジャックインターフェースを通じて伝達されるＡＤＣ（Analog Digital Converter）値を持続的に検出しなければならないので、多くの消耗電流が発生する問題点がある。
【発明の概要】
【発明が解決しようとする課題】
【０００５】
したがって、本発明の目的は、イヤホンジャックインターフェースを通じて多様な装置連結と動作状態を区分することができるようにするイヤホンシステムとこれをサポートする携帯端末及びこれを基盤とするイヤホン動作方法を提供することにある。
【０００６】
また、本発明の目的は、多様な装置連結と動作状態を特定時点にだけ検出するようにサポートすることによって、消耗電流を最小化することができるイヤホンシステムとこれをサポートする携帯端末及びこれを基盤とするイヤホン動作方法を提供することにある。
【課題を解決するための手段】
【０００７】
上記目的を達成するために、本発明によるイヤホンシステムは、４極のイヤホンヘッダーと携帯端末のユーザ機能制御のための少なくとも１つの入力信号を生成し、前記イヤホンヘッダーのマイク端子を通じて前記携帯端末に伝送可能なイヤホン入力装置を含むイヤホンと；前記イヤホンヘッダーが接続されるイヤホンジャックインターフェースを含み、前記マイク端子と接触するマイク電極ピンを通じて前記少なくとも１つの入力信号を受信及び区分した後、区分された入力信号の種類によってユーザ機能を制御する携帯端末と；を備えることを特徴とする。
【０００８】
また、本発明による携帯端末は、４極イヤホンヘッダーが接続されるイヤホンジャックインターフェースと、前記４極イヤホンヘッダーのうちマイク端子と接触するマイク電極ピンを通じて前記イヤホンで発生した少なくとも１つの入力信号を受信及び区分した後、区分された入力信号種類によってユーザ機能を制御する制御部とを含むことを特徴とする。
【０００９】
また、本発明によるイヤホン動作方法は、４極のイヤホンヘッダーが携帯端末のイヤホンジャックインターフェースに接続される過程と、前記４極イヤホンに設けられたイヤホン入力装置でユーザ機能制御のための少なくとも１つの入力信号が生成される過程と、前記少なくとも１つの入力信号が前記イヤホンのマイク端子と前記イヤホンジャックインターフェースを通じて前記携帯端末に伝達される過程と、前記伝達された入力信号によって前記携帯端末のユーザ機能を制御する過程とを含むことを特徴とする。
【発明の効果】
【００１０】
本発明の実施例によるイヤホンシステムとこれをサポートする携帯端末及びこれを基盤とするイヤホン動作方法によれば、本発明は、多様な外部装置の連結と動作が可能であり、動作による消耗電流を最適化することができる。
【図面の簡単な説明】
【００１１】
【図１】本発明の実施例によるイヤホンシステムの構成を概略的に示す図である。
【図２】本発明の実施例による携帯端末の構成をさらに詳しく示す図である。
【図３】本発明の実施例によるイヤホンシステムのイヤホンジャックインターフェースとイヤホンの形態をさらに詳しく示す図である。
【図４】本発明の実施例によるイヤホンジャックインターフェースの信号区分を説明するための図である。
【図５Ａ】本発明の実施例によるイヤホン動作方法を説明するための図である。
【図５Ｂ】本発明の実施例によるイヤホン動作方法を説明するための図である。
【発明を実施するための形態】
【００１２】
以下、本発明による好ましい実施例を添付の図面を参照して詳しく説明する。下記の説明では、本発明の実施例による動作を理解するのに必要な部分だけを説明し、その他の部分の説明は、本発明の要旨を不明にしないように省略されることができる。
【００１３】
以下で説明する本明細書及び特許請求の範囲に使用された用語や単語は、通常的または辞書的な意味に限定して解釈すべきものではなく、発明者は、自分の発明を最善の方法で説明するために用語の概念として適宜定義することができるという原則に即して、本発明の技術的思想に符合する意味と概念として解釈すべきである。したがって、本明細書に記載した実施例と図面に示された構成は、本発明の最も好ましい実施例に過ぎず、本発明の技術的思想をすべて代弁するものではないので、本出願時点においてこれらを代替することができる多様な均等物と変形例があり得ることを理解すべきである。
【００１４】
図１は、本発明の実施例によるイヤホンジャックインターフェース動作のためのイヤホンシステムの形態を概略的に示す図である。
【００１５】
図１を参照すれば、本発明のイヤホンジャックインターフェース動作のためのイヤホンシステム構成は、携帯端末１００及びイヤホン２００を含む。ここで、前記イヤホンジャックインターフェース動作のための構成において、携帯端末１００に連結される構成としてイヤホン２００を例にして説明するが、本発明はこれに限定されるものではない。すなわち前記イヤホン２００は、前記イヤホンジャックインターフェースに連結されることができる多様な装置、例えば、外部スピーカーなどを使用することができる。
【００１６】
前記携帯端末１００は、前記イヤホンジャックインターフェース１７０を設け、前記イヤホンジャックインターフェース１７０を通じて連結されるイヤホン２００と、コンテンツ再生または通話音送受信によるオーディオ信号をやりとりすることができる。このような携帯端末１００は、前記イヤホン２００の連結時にイヤホン２００に設けられた多様な入力構成、例えばボリュームアップ／ダウンキー、電話発信または電話着信及び通話終了のためのキーから発生する信号を区分することができる。これにより、前記携帯端末１００は、イヤホン２００で発生して伝達された信号を区分し、当該信号によるユーザ機能を調節することができる。ここで、前記携帯端末１００は、イヤホンジャックインターフェース１７０にイヤホン２００が挿入される場合に発生するインターラプトを基盤としてイヤホン２００の連結を認識し、イヤホン２００の関連機能の実行をサポートすることができる。前記携帯端末１００の構成と各構成の役目について、図２を参照してさらに詳しく後述する。
【００１７】
前記イヤホン２００は、前記携帯端末１００のイヤホンジャックインターフェース１７０に挿入され、携帯端末１００から伝送されるオーディオ信号を出力する構成である。このようなイヤホン２００は、４極イヤホンであって、イヤホンジャックインターフェース１７０に挿入されるイヤホンヘッダー２１０、イヤホンマイクＥＡＲ−ＭＩＣ、ボリュームアップ／ダウンキー２２１及び通話連結／解除キー２２３などが設けられたイヤホン入力装置２２０及びイヤホンスピーカー２３０を含むことができる。ここで、前記イヤホンスピーカー２３０は、左側イヤホンスピーカー２３１及び右側イヤホンスピーカー２３３を含むことができる。前記イヤホン２００は、前記イヤホンマイクＥＡＲ−ＭＩＣが収集したオーディオ信号を前記イヤホンヘッダー２１０を通じて携帯端末１００に伝達する。このような構成を有する本発明のイヤホン２００は、前記イヤホン入力装置２２０に含まれた各構成がユーザ制御によって活性化される場合、それによる多様なパスが形成されることができる。すなわち前記イヤホン２００の各構成は、活性化される場合、固有の抵抗値を含むパスを形成し、携帯端末１００は、このようなパスで抵抗値の変化によって変化する電圧値を基準にして、イヤホン２００の構成のうちどんな構成が活性化されるかを判断することができる。前記イヤホン２００の入力信号生成と区分及びイヤホン２００の連結による信号収集などに関する詳細な説明は、図３を参照してさらに詳しく説明する。
【００１８】
前述したように、本発明の実施例によるイヤホンジャックインターフェース動作のための構成は、イヤホンジャックインターフェースにイヤホン２００が挿入されることによって発生するインターラプトを基盤としてイヤホン２００の機能をサポートし、イヤホン２００に設けられた４極のうちマイク電極を利用してイヤホン２００の多様な入力信号、すなわちボリュームアップ／ダウン入力信号、通話連結／解除信号などを区分し、これを基盤として携帯端末１００のユーザ機能を制御することができるようにサポートする。これにより、前記イヤホン２００ユーザは、携帯端末１００の直接的な制御なしに、４極イヤホンを利用してコンテンツ再生や通話連結によるオーディオのボリュームを調節したり、通話連結または解除を制御することができる。
【００１９】
図２は、本発明の実施例による携帯端末１００の詳細構成をさらに詳しく示す図である。
【００２０】
図２を参照すれば、本発明の携帯端末１００は、無線周波数部１１０、入力部１２０、オーディオ処理部１３０、表示部１４０、保存部１５０、イヤホンジャックインターフェース１７０及び制御部１６０の構成を含むことができる。
【００２１】
このような構成を有する本発明の実施例による携帯端末１００は、イヤホンジャックインターフェース１７０にイヤホン２００が連結される場合、インターラプトを発生させることができる構造を有し、インターラプトが発生する場合、イヤホン２００の連結によるユーザ機能、すなわちオーディオパス切替を制御することができる。また、本発明の携帯端末１００は、前記イヤホンジャックインターフェースに付与された電圧が一定電圧以下にダウンされ、インターラプトが発生する場合、ダウンされた電圧の大きさを検出し、これを基盤としてイヤホン２００で発生した入力信号の種類を区分することができる。これにより、本発明の携帯端末１００は、前記イヤホン２００の入力信号を基盤としてユーザ機能制御を行うことができる。以下、前記携帯端末１００の各構成と役目についてさらに詳しく説明する。
【００２２】
前記無線周波数部１１０は、前記携帯端末１００の移動通信サービスサポートのための通信モジュールである。このような前記無線周波数部１１０は、移動通信サービス方式によってＧＳＭ通信モジュール、ＣＤＭＡ通信モジュールなどを使用することができ、前記通信モジュールを基盤として移動通信システムと通信チャネルを形成する。このために、前記無線周波数部１１０は、送信される信号の周波数を上昇変換及び増幅する無線周波数送信部と、受信される信号を低雑音増幅し、周波数を下降変換する無線周波数受信部などを含むことができる。前記無線周波数部１１０は、前記携帯端末１００の種類によって含まれてもよく、または含まれなくてもよい構成である。すなわち前記携帯端末１００が基地局を基盤とする移動通信機能をサポートする場合、前記無線周波数部１１０が含まれることができるが、モニターや音楽再生プレーヤーのように、別途の移動通信機能を必要としない場合、設計者または製造社の意図によって省略することができる。特に本発明の無線周波数部１１０は、ユーザ制御によって他の端末と通話チャネルを形成し、ユーザのオーディオ信号及び他の端末のオーディオ信号を送受信するようになる。この時、前記無線周波数部１１０が受信したオーディオ信号は、イヤホンジャックインターフェース１７０を通じて、前記イヤホン２００に設けられたイヤホンスピーカー２３０に伝達することができる。
【００２３】
前記入力部１２０は、数字または文字情報を入力され、各種機能を設定するための多数の入力キー及び機能キーを含む。前記機能キーは、特定の機能を行うように設定された方向キー、サイドキー及びショートカットキーなどを含むことができる。また、前記入力部１２０は、ユーザ設定及び携帯端末１００の機能制御と関連したキー信号を生成し、前記制御部１６０に伝達する。特に、本発明の入力部１２０は、携帯端末１００のユーザ機能制御のための多様な入力信号を生成し、これを制御部１６０に伝達することができる。例えば、前記入力部１２０は、電話番号入力またはホンブックに保存された特定の電話番号を選択するための入力信号、選択された電話番号を基盤として通話連結を試みるための入力信号、保存部１５０に保存された特定ファイル選択と再生のための入力信号など多様な入力信号をユーザ制御によって生成し、これを制御部１６０に伝達することができる。
【００２４】
前記オーディオ処理部１３０は、制御部１６０から伝達されるオーディオ信号を出力するスピーカーＳＰＫと、携帯端末１００の特定のアプリケーションプログラムの活性化によって収集されるオーディオ信号を収集するマイクＭＩＣを含むことができる。このようなオーディオ処理部１３０は、無線周波数部１１０が活性化される場合、前記無線周波数部１１０を通じて受信されるオーディオ信号、及び特定コンテンツ再生によるオーディオ信号などをスピーカーＳＰＫを通じて出力することができる。このような前記オーディオ処理部１３０は、イヤホンジャックインターフェース１７０にイヤホン２００が連結される前まで、オーディオ出力パスとオーディオ入力パスを前記スピーカーＳＰＫとマイクＭＩＣを基準にして形成する。また、前記オーディオ処理部１３０は、イヤホンジャックインターフェース１７０にイヤホン２００が連結されれば、前記スピーカーＳＰＫ及びマイクＭＩＣを備えて形成されたオーディオ出力パスとオーディオ入力パスを除去し、前記イヤホン２００に設けられたイヤホンマイクＥＡＲ−ＭＩＣとイヤホンスピーカー２３０を備えるオーディオ出力パス及びオーディオ入力パスを設けることができる。これにより、本発明の携帯端末１００で出力されるべきオーディオ信号は、前記イヤホンジャックインターフェース１７０とイヤホン２００のイヤホンスピーカー２３０を通じて出力され、前記イヤホンマイクＥＡＲ−ＭＩＣで収集されたオーディオ信号は、イヤホンジャックインターフェース１７０及びオーディオ処理部１３０を通じて制御部１６０に伝達されることができる。
【００２５】
前記表示部１４０は、携帯端末１００の各種メニューを始めとして、ユーザが入力した情報またはユーザに提供する情報を表示する。すなわち表示部１４０は、携帯端末１００の利用による多様な画面、例えば、待機画面、メニュー画面、メッセージ作成画面、通話画面などを提供することができる。特に、本発明の表示部１４０は、イヤホンジャックインターフェース１７０の連結によって、多様な状態に遷移することができる。これをさらに詳しく説明すれば、前記表示部１４０は、通話機能の使用中にイヤホンジャックインターフェース１７０にイヤホン２００が連結される場合、電源が自動でターン−オフとされ、電源消耗を最小化することができる。また、別途の電源供給のための入力信号が発生すれば、前記表示部１４０は、ターン−オンとされ、ターン−オフ直前の画面を出力することができる。また、本発明の表示部１４０は、イヤホンジャックインターフェース１７０にイヤホン２００が連結される場合、これをアラームするメッセージなどを出力することができる。ここで、前記イヤホン２００の連結を指示するメッセージ出力などは、ユーザ設定によって実行されないように制御することができる。一方、前記表示部１４０は、前記イヤホン２００で発生して伝達された入力信号、例えば、ボリュームアップ／ダウンキーに対応する入力信号、通話連結／解除キーに対応する入力信号などが発生すれば、それに対応する画面を出力することができる。すなわちボリュームアップ／ダウンキーに対応する入力信号が発生すれば、前記表示部１４０は、ボリュームアップまたはダウンに対応するイメージを出力し、これを通じてユーザが現在どれほどのボリュームを上げているか、または下げているかを把握することができるようにサポートすることができる。このようなイヤホン２００の入力信号に対応するイメージ出力も、ユーザ設定などによって省略することができる。一方、前記表示部１４０は、液晶表示装置（Liquid Crystal Display）、ＯＬＥＤ（Organic Light Emitted Diode）などで形成することができ、前記表示部がタッチスクリーン（Touch Screen）形態で形成される場合、前記表示部１４０は、入力手段に含むことができる。前記表示部１４０は、タッチスクリーンに形成されれば、表示パネルと表示パネル上に配置されるタッチセンサーとを含むことができる。また、前記携帯端末１００は、表示部１４０のタッチスクリーンサポートによってタッチスクリーンを基盤として行うことができる多様なメニュー画面を提供することができる。
【００２６】
前記保存部１５０は、本発明の実施例による機能動作に必要なアプリケーションプログラムを始めとして、保存された多様なファイルを再生するためのアプリケーションプログラム、前記表示部１４０がタッチスクリーンで製作される場合、タッチスクリーン動作のためのキーマップやメニューマップなどを保存することができる。ここで、キーマップ及びメニューマップは、各々多様な形態になることができる。すなわちキーマップは、キーボードマップ、３＊４キーマップ、クォティキーマップなどを使用することができ、現在活性化されているアプリケーションプログラムの動作制御のための制御するマップを使用することもできる。また、メニューマップは、現在活性化されているアプリケーションプログラム動作制御のためのメニューマップを使用することができ、端末が提供する多様なメニューを項目として有するメニューマップを使用することができる。このような前記保存部１５０は、大きく、プログラム領域とデータ領域を含むことができる。
【００２７】
前記プログラム領域は、携帯端末１００の起動及び前述した各構成の動作のためのオペレーティングシステム（ＯＳ；Operating System）、多様なファイルを再生するためのアプリケーションプログラム、例えば、音源を再生するためのＭＰ３アプリケーション、写真などを再生するためのイメージ出力アプリケーションプログラム、動画再生アプリケーションプログラムなどを保存することができる。特に、本発明のプログラム領域は、前記携帯端末１００のイヤホン２００の機能サポートのためのイヤホン対応アプリケーションプログラムを含むことができる。
【００２８】
前記イヤホン対応アプリケーションプログラムは、前記イヤホン２００がイヤホンジャックインターフェース１７０に挿入されれば活性化され、イヤホン２００でのオーディオパス切替を制御し、イヤホン２００で伝達される入力信号の種類区分、及びこれを基盤とするユーザ機能制御を行うプログラムである。このために、前記イヤホン対応アプリケーションプログラムは、制御部１６０にロードされ、イヤホンジャックインターフェース１７０にイヤホン２００が挿入されているか否かを確認するイヤホン２００の連結確認ルーチン、オーディオ出力パス及びオーディオ入力パスの切替を制御するルーチン、イヤホン２００から伝達される信号を区分するルーチン、区分された信号によるユーザ機能を制御するルーチンを含むことができる。ここで、前記ユーザ機能を制御するルーチンは、現在活性化されているユーザ機能の特定オプションを制御するサブルーチンと、特定のユーザ機能を活性化する、又は活性化されたユーザ機能を不活性化するように制御するサブルーチンとを含むことができる。
【００２９】
前記データ領域は、携帯端末１００の使用によって発生するデータが保存される領域であって、携帯端末の特性によって多様なコンテンツを選択的に保存することができる。また、前記データ領域は、前記表示部１４０がタッチスクリーンで具現される場合、タッチスクリーンを通じて入力されるユーザ入力を保存することができる。特に、本発明のデータ領域は、イヤホン２００の連結によるユーザ機能制御のための入力信号テーブルを保存することができる。前記入力信号テーブルは、前記イヤホン２００から伝達される入力信号の種類と、ユーザ機能実行のための命令語をマッチングして作成したテーブルを使用することができる。例えば、前記入力信号テーブルは、前記イヤホン２００のボリュームアップキーに対応する入力信号が発生する場合、現在活性化されているユーザ機能のボリュームの大きさを増加させる命令語を生成する情報を含むことができる。実質的に前記ボリュームアップキーに対応する入力信号は、特定の電圧値に対応する値になるので、前記入力信号テーブルは、多様な電圧値による当該命令語生成のための基準として利用されることができる。
【００３０】
前記イヤホンジャックインターフェース１７０は、前記携帯端末１００の片側に設けられ、イヤホン２００の連結のためにイヤホンヘッダー２１０が挿入及び固定されることができる形態で製作されることができる。このようなイヤホンジャックインターフェース１７０は、多様なイヤホン種類に関係なく、挿入及び動作されるために、多数個のピンが設けられることができる。前記イヤホンジャックインターフェース１７０については、図３を参照してさらに詳しく説明する。
【００３１】
前記制御部１６０は、前記携帯端末１００の各構成に電源供給を制御し、初期化過程を行うようにサポートし、端末の初期化過程が完了した後、イヤホン２００の連結によるユーザ機能制御を行うことができる。これをさらに詳しく説明すれば、制御部１６０は、前述したイヤホン対応アプリケーションプログラムを動作し、イヤホンジャックインターフェース１７０にイヤホン２００が挿入されているか否かを確認することができる。このために、前記携帯端末１００は、前記イヤホンジャックインターフェース１７０に一定の基準電圧を維持する端子または電極ピンを設け、イヤホン２００の接続時に発生する前記基準電圧の電圧降下を検出し、イヤホン２００の連結を確認することができる。また、前記制御部１６０は、イヤホンジャックインターフェース１７０に設けられた多様な電極ピンと接触するイヤホン２００の信号パスの形成と制御を行うことができる。このような制御部１６０のイヤホン２００制御動作について図３を参照してさらに詳しく説明する。
【００３２】
図３は、本発明の実施例によるイヤホンジャックインターフェース１７０に挿入されるイヤホン２００の形態と、イヤホン入力装置２２０の動作による携帯端末１００の動作を説明するための図である。
【００３３】
図３を参照すれば、本発明のイヤホンジャックインターフェース１７０は、５個の電極ピン１、２、３、４、５を含むことができる。ここで、第１電極ピン１は、イヤホンマイク端子Ｍと連結されるマイク電極ピンであり、第２電極ピン２は、接地端子Ｇと接触する接地電極ピンで、第３電極ピン３は、イヤホン右側スピーカー端子Ｒと接触する右側スピーカー電極ピンであり、第４電極ピン４は、イヤホン左側スピーカー端子Ｌと接触する左側スピーカー電極ピンである。前記第５電極ピン５は、設計者の意図によって省略されることができる電極ピンであって、イヤホンヘッダー２１０の接地端子Ｇと接触するピンである。ここで、前記第５電極ピン５は、前述のイヤホン２００の連結を確認するためのインターラプト発生電極ピンとして利用することができる。すなわち前記制御部１６０は、前記第５電極ピン５に一定の基準電圧を付与した状態で、イヤホン２００の連結によって第５電極ピン５が接地される場合、変化する基準電圧をインターラプトとして認識し、イヤホン２００の連結を検出することができる。
【００３４】
一方、前述した説明で、第３電極ピン３及び第４電極ピン４は、イヤホン２００のタイプ形態によって同一の端子で連結されることもできる。すなわちイヤホン２００のタイプがステレオタイプの場合、イヤホン右側スピーカー端子Ｒとイヤホン左側スピーカー端子Ｌが各々区分されることができる。この場合は、前述したように、第３電極ピン３がイヤホン右側スピーカー端子Ｒに接触し、第４電極ピン４がイヤホン左側スピーカー端子Ｌに接触する。しかし、前記イヤホン２００タイプがモノタイプの場合、前記イヤホンの各端子は、右側スピーカーと左側スピーカーの区分なしに１つの端子で製作されることができる。すると、前記第３電極ピン３と前記第４電極ピン４は、同一の電極端子であるスピーカー端子に接触することができる。しかし、本発明の実施例によるイヤホンジャックインターフェースの動作は、イヤホンマイク端子Ｍを通じて入力される多様な入力信号を区分する発明であって、イヤホン２００のタイプがモノーまたはステレオであるかに関係なく、多様なイヤホン２００に適用されることができる。以下の説明では、説明の便宜のためにステレオタイプのイヤホン２００を基準にして説明する。
【００３５】
前記イヤホンヘッダー２１０は、全体で４個の端子を含み、各端子は、イヤホン２００の各構成と連結されることができる。すなわち前記イヤホンヘッダー２１０は、イヤホンマイク端子Ｍ、接地端子Ｇ、イヤホン右側スピーカー端子Ｒ及びイヤホン左側スピーカー端子Ｌを含むことができる。ここで、前記イヤホン右側スピーカー端子Ｒは、イヤホン右側スピーカー２３１に連結され、前記イヤホン左側スピーカー端子Ｌは、イヤホン左側スピーカー２３３に連結されることができる。また、本発明のイヤホンマイク端子Ｍは、イヤホンマイクＥＡＲ−ＭＩＣ、ボリュームアップ／ダウンキー２２１、通話連結／解除キー２２３に各々連結されることができる。前記イヤホンマイク端子Ｍに連結されるボリュームアップ／ダウンキー２２１は、ボリュームアップキー及びボリュームダウンキーを含み、前記通話連結／解除キー２２３は、通話連結キーと通話解除キーを含むことができる。以下、説明の便宜のために、各キーを抵抗で表記した。すなわちボリュームアップキーは、第１抵抗Ｒ１、ボリュームダウンキーは第２抵抗Ｒ２、通話連結キーは、第３抵抗Ｒ３、通話解除キーは、第４抵抗Ｒ４で表記した。ここで、各キーに割り当てられた抵抗は、互いに異なる値を有することができる。このような構造を有するイヤホンヘッダー２１０は、前記イヤホンジャックインターフェース１７０に挿入され、前述した各電極ピンと接触するようになる。
【００３６】
一方、本発明のイヤホンジャックインターフェース１７０は、図４に示されたように、第１電極ピン１と連結されるＡＤＣ（Analog Digital Converter）１７１及び比較器１７３を設け、前記第１電極ピン１を通じて伝達される電圧と比較電圧を相互比較し、その結果によってユーザ機能を制御するようにサポートする。例えば、イヤホンマイクＥＡＲ−ＭＩＣだけが連結された場合、前記比較器１７３の入力値は、１．３Ｖ程度になり、この場合、イヤホンマイクＥＡＲ−ＭＩＣを通じて入力されるオーディオ信号だけが信号線に沿って制御部１６０に供給されることができる。
【００３７】
一方、ユーザがイヤホン入力装置２２０の特定キーを活性化する場合、各キーに設けられた抵抗値が作用するようになり、究極的に、イヤホンマイク端子Ｍを通じて第１電極ピン１に供給される電圧は、１．３Ｖ以下になることができ、抵抗値の調節によって降下される電圧の大きさを調節することができる。この時、前述したように、各キーにかかる抵抗値を互いに異ならしめ、１．３Ｖ電圧で比較器１７３の基準電圧、例えば０．７５以下の値に電圧降下が発生するように、各キーの抵抗を調節したものと仮定すれば、特定キーが活性化される場合、それによる電圧降下が発生するようになり、比較器１７３は、その結果を制御部１６０に伝達するようになる。これにより、制御部１６０は、比較器１７３を持続的に監視しないとしても、特定キーが押圧されることから、比較器１７３の出力から伝達された電圧の大きさを抽出することによって、どんなキーが押圧されたかを判断することができる。前述した説明で、比較器１７３の基準電圧は、設計者の意図によって変えることができ、各キーが作用する抵抗値も設計者の意図によって変えることができる。
【００３８】
前述したように、本発明の実施例によるイヤホンシステムとこれをサポートする携帯端末は、４極イヤホン２００の連結時に、イヤホン２００に設けられた多様なイヤホン入力装置２２０の信号を区分し、それによるユーザ機能を制御することができる機能をサポートする。一方、前述した説明において、イヤホン２００に設けられるイヤホン入力装置２２０の構成をボリュームアップ／ダウンキー、通話連結／解除キーなどとして説明したが、本発明はこれに限定されるものではない。すなわち前記イヤホン入力装置２２０は、前記携帯端末１００の電源をターン−オフすることができるキー、保存部１５０に保存されたファイル検索のための検索キーなど多様なキーを使用することができる。
以上では、本発明の実施例によるイヤホンシステム及び携帯端末の構成について説明した。以下では、本発明のイヤホンシステムの動作方法について図５Ａ及び図５Ｂを参照してさらに詳しく説明する。
【００３９】
図５Ａ及び図５Ｂは、本発明の実施例によるイヤホンシステムの動作方法を説明するための流れ図である。以下の説明では、イヤホンシステムの動作方法を携帯端末１００を基準にして説明する。
【００４０】
図５Ａ及び図５Ｂを参照すれば、まず、携帯端末１００に電源が供給されれば、制御部１６０は、供給された電源を利用して携帯端末１００の各構成を初期化し、これを既定のスケジュール情報によって、５０１段階のように待機画面を出力するように制御することができる。ここで、前記制御部１６０は、スケジュール情報に特定のユーザ機能を活性化するように記入されている場合、それによって特定のユーザ機能を活性化するように制御することもできる。
【００４１】
一方、前記制御部１６０は、携帯端末１００のイヤホンジャックインターフェース１７０にイヤホン２００が挿入されるか否かを５０３段階で確認することができる。この過程で、前記イヤホン２００の連結がない場合、携帯端末１００の入力部１２０などで発生する入力信号によってユーザ機能を活性化し、オーディオ信号処理時に５０５段階に進行し、オーディオ処理部１３０を基盤として当該オーディオ信号を処理するように制御することができる。
【００４２】
前記５０３段階で、イヤホンジャックインターフェース１７０にイヤホン２００が挿入される場合、前記制御部１６０は、５０７段階で、イヤホン２００の連結によってオーディオ出力パスとオーディオ入力パスを、イヤホン２００を含むように切り替えることができる。その後、前記制御部１６０は、５０９段階で、イヤホン２００から通話連結のための入力信号が伝達されるか否かを確認し、通話連結のための入力信号が伝達される場合、５１１段階に分岐し、前記携帯端末１００の通話履歴を参照して直前に連結された電話番号を基盤として通話連結を試み、それによるユーザ機能をサポートすることができる。また、前記制御部１６０は、５１２段階で、通話解除のための入力信号がイヤホン２００から伝達されるか否かを確認し、当該入力信号伝達時、５０９段階に分岐し、以降の過程を繰り返して行うように制御することができる。
【００４３】
また、前記制御部１６０は、５０９段階で、通話連結のための入力信号発生がない場合、５１３段階に進行し、入力信号によるユーザ機能活性化を制御することができる。
【００４４】
次に、前記制御部１６０は、５１５段階で、前記イヤホン２００からボリュームアップ／ダウンキーに対応する入力信号伝達が発生するか否かを確認する。また、前記制御部１６０は、当該段階でボリュームアップ／ダウン関連入力信号が発生する場合、５１７段階に進行し、現在活性化されたユーザ機能のボリュームをアップ／ダウンするように制御することができる。５１７段階後には、５１３段階の前に分岐し、以降の過程を繰り返して行うことができる。
【００４５】
一方、前記５１５段階で、別途の入力信号発生がない場合、前記制御部１６０は、５１９段階に進行し、イヤホン２００の挿入が解除されるか否かを確認する。ここで、イヤホン２００解除がない場合、前記制御部１６０は、５１３段階の前に分岐し、以降の過程を繰り返して行うことができる。
【００４６】
前記５１９段階で、イヤホン２００の解除が発生する場合、前記制御部１６０は、５２１段階に進行し、オーディオ処理部１３０を基盤としてユーザ機能を維持するように制御することができる。その後、前記制御部１６０は、５２３段階に分岐し、ユーザ機能終了可否を確認し、別途の終了のための入力信号発生がない場合、５２１段階に分岐し、ユーザ機能維持をサポートすることができる。また、前記制御部１６０は、５２３段階で、ユーザ機能終了のための入力信号が発生する場合、５２５段階に分岐し、端末終了可否を確認し、別途の終了のための入力信号発生がない場合、５０１段階の前に分岐し、以降の過程を繰り返して行うことができる。
【００４７】
一方、前記制御部１６０は、イヤホン２００の連結時に携帯端末１００に含まれた入力部１２０を自動ロックするように制御することもできる。また、前記制御部１６０は、外部から通話連結を要請する信号が発生すれば、これに対応する信号をイヤホン２００に伝達し、イヤホン２００から通話連結を許可する信号が伝達されれば、通話連結を行った後、これに基づいて発生するオーディオ信号の出力と収集を、イヤホン２００を基盤として行うようにサポートすることができる。
【００４８】
前述した説明では、制御部１６０がイヤホン２００から伝達される入力信号の発生可否を確認するものと説明したが、前述したように、本発明の実施例による携帯端末１００は、イヤホン２００から入力信号の発生時に、それによるインターラプトが発生し、制御部１６０が特定入力信号の発生を認知する構造を有するようになる。これにより、本発明の携帯端末１００は、別途の入力信号発生可否確認のための検出を行わないので、不要な電流消耗を防止することができる。
【００４９】
以上説明したように、本発明の実施例によるイヤホンシステムの動作方法は、イヤホン２００が携帯端末１００のイヤホンジャックインターフェース１７０に連結されれば、イヤホン２００から伝達される入力信号を基盤として携帯端末１００の特定ユーザ機能を活性化または不活性化するか、または活性化されたユーザ機能のオプションを制御することができる。
【００５０】
一方、前述した携帯端末１００は、その提供形態として、近距離通信のための近距離通信モジュール、前述したように被写体の停止映像／動画を撮影するためのカメラモジュール、前記携帯端末１００の有線通信方式または無線通信方式によるデータ送受信のためのインターフェース、インターネットネットワークと通信してインターネット機能を行うインターネット通信モジュール及びデジタル放送受信と再生機能を行うデジタル放送モジュールなどのように、上記で言及しない構成をさらに含むこともできる。このような構成要素は、デジタル機器のコンバージェンス（convergence）傾向によって変形が非常に多様であり、すべて列挙することはできないが、前記言及された構成要素と同等な水準の構成要素が、前記デバイスに追加でさらに含まれて構成されることができる。また、本発明の携帯端末１００は、その提供形態によって上記構成から特定構成が排除されるか、他の構成に代替されることもできることは勿論である。これは、本技術分野における通常の知識を有する者に容易に理解されることができる。
【００５１】
また、本発明の実施例による前記携帯端末１００は、イヤホン２００が挿入されることができるイヤホンジャックインターフェースを含むすべての形態のデバイスを含むことができる。例えば、前記携帯端末１００は、多様な通信システムに対応する通信プロトコルに基づいて動作するすべての移動通信端末を含めて、ＰＭＰ（Portable Multimedia Player）、デジタル放送プレーヤー、ＰＤＡ（Personal Digital Assistant）、音楽再生機（例えば、ＭＰ３プレーヤー）、携帯ゲーム端末、スマートフォン（Smart Phone）、ノートパソコン及びハンドヘルドパソコンなどすべての情報通信機器とマルチメディア機器及びそれに対する応用機器を含むことができる。
【００５２】
以上、本発明をいくつかの好ましい実施例を使用して説明したが、これらの実施例は、例示的なものであって、限定的なものではない。このように、本発明の属する技術分野における通常の知識を有する者なら本発明の思想と添付の特許請求範囲に提示された権利範囲から脱することなく、均等論によって多様な変化と修正を加えることができることを理解することができる。
【符号の説明】
【００５３】
１００  携帯端末
１１０  無線周波数部
１２０  入力部
１３０  オーディオ処理部
１４０  表示部
１５０  保存部
１６０  制御部
１７０  イヤホンジャックインターフェース
１７１  ＡＤＣ
１７３  比較器
２００  イヤホン
２１０  イヤホンヘッダー
２２０  イヤホン入力装置
２３０  イヤホンスピーカー
【図１】
2011239395.tif 000003
【図２】
2011239395.tif 000004
【図３】
2011239395.tif 000005
【図４】
2011239395.tif 000006
【図５Ａ】
2011239395.tif 000007
【図５Ｂ】
2011239395.tif 000008